(57)【要約】【課題】換気送風機器などに使用される遠心送風機で、より広い周波数帯域の騒音を低減できる遠心送風機を提供することを目的とする。【解決手段】外郭３内に、回転軸４を中心に回動可能に羽根車５を連結した電動機６と、羽根車６の周囲を囲み一面にベルマウス状の吸込み口７を有するケーシング１０と、吸込み口７と同心円で吸込み口７より同等以下の直径の開口部１８を有するベルマウス状のオリフィス１９とを備え、オリフィス１９により形成される共鳴空間２０に有孔部材２２を備え、共鳴空間２０内にあなあき板吸音構造を形成することにより、吸込み口７から放出される騒音を共鳴空間２０内で共鳴消音すると同時に、あなあき板吸音構造により共鳴消音することで、共鳴消音できる周波数帯域の選択性が広がり、より広い周波数帯域の騒音を低減できる遠心送風機１を得られる。【選択図】図１
2009197623.tif 000002
【特許請求の範囲】
【請求項１】
開口を備えた外郭内に、回転軸を中心に回動可能に羽根車を連結した電動機と、前記羽根車の周囲を囲み吸込み口を有するケーシングと、前記外郭の前記開口と連通する開口部を有するベルマウス状のオリフィスを備え、前記外郭と前記ケーシングおよび前記オリフィスで囲まれる共鳴空間に有孔部材を設け、前記共鳴空間内にあなあき板吸音構造を持つことを特徴とする遠心送風機。
【請求項２】
平板状の有孔部材により共鳴空間を、ケーシング側とオリフィス側に仕切ることを特徴とする請求項１に記載の遠心送風機。
【請求項３】
環状の有孔部材により共鳴空間を、回転軸中心側と回転軸外周側に仕切ることを特徴とする請求項１に記載の遠心送風機。
【請求項４】
有孔部材が複数の丸孔を備えることを特徴とする請求項１〜３いずれかに記載の遠心送風機。
【請求項５】
有孔部材が複数のスリットを備えることを特徴とする請求項１〜３いずかれに記載の遠心送風機。
【請求項６】
外郭とオリフィスおよび有孔部材により囲まれる背後空気層の厚さ、前記有孔部材の孔の大きさおよび前記孔の間隔が一定であることを特徴とする請求項１〜５いずれかに記載の遠心送風機。
【請求項７】
背後空気層の厚さ、有孔部材の孔の大きさおよび前記孔の間隔のうち少なくとも一つが不均一であることを特徴とする請求項１〜５いずれかに記載の遠心送風機。
【請求項８】
有孔部材の孔の大きさが騒音の入射面から透過面へ段階的に大径になること特徴とする請求項１〜７いずれかに記載の遠心送風機。
【請求項９】
有孔部材の各孔に、前記孔の形状に対応して背後空気層側へと突き出す筒を設けることを特徴とする請求項１〜８いずれかに記載の遠心送風機。
【請求項１０】
背後空気層内が複数に仕切られていることを特徴とする請求項１〜８いずれかに記載の遠心送風機。
【請求項１１】
背後空気層の厚みを保持する保持部材をもつことを特徴とする請求項１、２または４〜９いずれかに記載の遠心送風機。
【請求項１２】
背後空気層に吸音材料を付加することを特徴とする請求項１〜１１いずれかに記載の遠心送風機。
【請求項１３】
オリフィスと有孔部材に開閉部分をもつことを特徴とする請求項１〜１２いずれかに記載の遠心送風機。
【請求項１４】
複数の有孔部材を、間隔をあけて設けることを特徴とする請求項１〜１３いずれかに記載の遠心送風機。
【発明の詳細な説明】
【技術分野】
【０００１】
本発明は、換気送風機器等に使用される遠心送風機に関するものである。
【背景技術】
【０００２】
従来、この種の遠心送風機は、天井埋込型換気扇などに用いられ、ベルマウス状の吸込み口を有する吸込ケーシングとは別のオリフィスを外郭の一面の開口に備えたものが知られている（例えば、特許文献１参照）。
【０００３】
以下、その遠心送風機について図１７を参照しながら説明する。
【０００４】
図１８に示すように一面を開口した外郭１０１と、この外郭１０１内の天面１０２に羽根車１０３を固着した電動機１０４と、羽根車１０３の周囲を取り囲むケーシング１０５と、吸込み口１０６を有する吸込ケーシング１０７とを備える遠心送風機は、吸込ケーシング１０７と所定の間隙ｈを隔て吸込み口１０６より同等あるいは小さな吸込孔１０８を有するオリフィス１０９を吸込ケーシング１０７の下端１１０とオリフィス１０９の端部１１１とを間隙寸法ｉを隔てて設けて共鳴空間１１２を構成している。また、このオリフィス１０９の一面にグリル１１３と、外郭１０１の一側面に設けた吐出口１１４とを備えている。
【０００５】
上記構成において、羽根車１０３が回転すると、吸込空気はグリル１１３からオリフィス１０９の吸込孔１０８を通り、吸込ケーシング１０７の吸込み口１０６より羽根車１０３に入り羽根車１０３により昇圧され、ケーシング１０５の内部を通り吐出口１１４より吐出される。このとき羽根車１０３で昇圧されるときに発生する回転騒音や、ケーシング１０５を通るときに発生する渦による乱流騒音や、ケーシング１０５内で発生した騒音の音波が吸込み口１０６から放射され、その一部は間隙寸法ｉの入口部１１５から共鳴空間１１２に入射する。入射した騒音の音波のうち、共鳴空間１１２の容積や形状によって特定される周波数の騒音の音波は、共鳴空間１１２内で気柱共鳴がおきたり、入口部１１５と共鳴空間１１２がヘルムホルツ共鳴器の働きをしたりするなどして共鳴消音され、同時に吸音構造の容積や形状によって特定される周波数の騒音の音波は吸音構造がヘルムホルツ共鳴器の働きをすることで共鳴消音される。
【特許文献１】特許第３２７９８３４号公報
【発明の開示】
【発明が解決しようとする課題】
【０００６】
このような従来の遠心送風機では、共鳴消音効果により概ね１ｋＨｚ以下の比較的低周波の騒音を消音できるが、乱流起因の騒音など概ね１ｋＨｚ以上の比較的高周波の騒音の消音効果が低く、風量が多い場合など高周波の騒音が主体的な場合に騒音の低減量が小さいという課題があり、高周波域の消音効果を高め、低周波から高周波までの広い周波数範囲で騒音を低減することが要求されている。
【０００７】
本発明は、このような従来の課題を解決するものであり、消音できる共鳴周波数帯の選択性を広げ、より広い周波数帯域の騒音を低減する遠心送風機を提供することを目的としている。
【課題を解決するための手段】
【０００８】
本発明の遠心送風機は上記目的を達成するために、開口を備えた外郭内に、回転軸を中心に回動可能に羽根車を連結した電動機と、羽根車の周囲を囲み吸込み口を有するケーシングと、外郭の開口と連通する開口部を有するベルマウス状のオリフィスを備え、外郭とケーシングおよびオリフィスで囲まれる共鳴空間に有孔部材を設け、共鳴空間内にあなあき板吸音構造を持つことを特徴とする遠心送風機としたものである。この手段により、消音できる共鳴周波数帯の選択性が広がり、より広い周波数帯域の騒音を低減できる遠心送風機が得られる。
【０００９】
また他の手段は、平板状の有孔部材により共鳴空間を、ケーシング側に共鳴空間とオリフィス側にあなあき板吸音構造とに仕切ることを特徴とする遠心送風機としたものである。
【００１０】
この手段により、吸込み口から放出される騒音を共鳴空間とあなあき板吸音構造にて同時に共鳴消音することにより、消音できる共鳴周波数帯の選択性が広がり、より広い周波数帯域の騒音を低減できる遠心送風機が得られる。
【００１１】
また他の手段は、環状の有孔部材により共鳴空間を、回転軸中心側に共鳴空間と回転軸外周側にあなあき板吸音構造とに仕切ることを特徴とする遠心送風機としたものである。
【００１２】
この手段により、消音できる共鳴周波数帯の選択性が広がり、より広い周波数帯域の騒音を低減でき、有孔部材がオリフィスの支持部材を兼ねる遠心送風機が得られる。
【００１３】
また他の手段は、有孔部材が複数の丸孔を備えることを特徴とする遠心送風機としたものである。
【００１４】
この手段により、あなあき板吸音構造の吸音特性に与える騒音入射角度の影響が最も少ない丸孔および外郭とオリフィスと有孔部材により囲まれる背後空気層により効率よく共鳴消音ができる遠心送風機が得られる。
【００１５】
また他の手段は、有孔部材が複数のスリットを備えることを特徴とする遠心送風機としたものである。
【００１６】
この手段により、有孔部材の製造が簡易になる遠心送風機が得られる。
【００１７】
また他の手段は、外郭とオリフィスおよび有孔部材により囲まれる背後空気層の厚さ、有孔部材の孔の大きさおよび孔の間隔が一定であることを特徴とする遠心送風機としたものである。
【００１８】
この手段により、あなあき板吸音構造の吸音特性が有孔部材上の位置によらず均一になり、特定の周波数帯域の騒音を特に低減できる遠心送風機が得られる。
【００１９】
また他の手段は、背後空気層の厚さ、有孔部材の孔の大きさおよび孔の間隔のうち少なくとも一つが不均一であることを特徴とする遠心送風機である。
【００２０】
この手段により、あなあき板吸音構造の吸音特性が有孔部材上の位置により不均一となるため消音できる共鳴周波数帯の選択性が広がり、より広い周波数帯域の騒音を低減できる遠心送風機が得られる。
【００２１】
また他の手段は、有孔部材の孔の大きさが騒音の入射面から透過面へ段階的に大径になること特徴とする遠心送風機である。
【００２２】
この手段により、騒音を効率的に背後空気層へと透過させ、また径の大小による吸音特性の違いを同時に与えることで広い周波数帯域の騒音を低減できる作用を有する遠心送風機が得られる。
【００２３】
また他の手段は、有孔部材の各孔に、孔形状に対応して背後空気層側へと突き出す筒を設けることを特徴とする遠心送風機である。
【００２４】
この手段により、特に低い周波数帯域の騒音を低減できる遠心送風機が得られる。
【００２５】
また他の手段は、背後空気層内が複数に仕切られていることを特徴とする遠心送風機である。
【００２６】
この手段により、入射騒音の入射角度によらず効率よく騒音を低減でき、また有孔部材の支持が容易となる遠心送風機が得られる。
【００２７】
また他の手段は、背後空気層の厚みを保持する保持部材をもつことを特徴とする遠心送風機である。
【００２８】
この手段により、背後空気層の厚みの保持が容易な遠心送風機が得られる。
【００２９】
また他の手段は、背後空気層内に吸音材料を付加することを特徴とする遠心送風機である。
【００３０】
この手段により、吸音材料の吸音特性が付加され更に広い周波数帯域の騒音を低減することができる遠心送風機が得られる。
【００３１】
また他の手段は、オリフィスと有孔部材に開閉部分をもつことを特徴とする遠心送風機である。
【００３２】
この手段により、設置後のメンテナンスが容易になる遠心送風機が得られる。
【００３３】
また他の手段は、複数の有孔部材を、間隔をあけて設けることを特徴とする遠心送風機である。
【００３４】
この手段により、吸音特性の異なるあなあき板吸音構造の二重構造になるため、共鳴消音できる共鳴周波数帯域の選択性が広がり、より広い周波数帯域の騒音を低減できる遠心送風機が得られる。
【発明の効果】
【００３５】
本発明によれば、共鳴消音できる共鳴周波数帯域の選択性を広げ、より広い周波数帯域の騒音を低減できる遠心送風機を提供できる。
【発明を実施するための最良の形態】
【００３６】
本発明の請求項１記載の発明は、開口を備えた外郭内に、回転軸を中心に回動可能に羽根車を連結した電動機と、羽根車の周囲を囲み吸込み口を有するケーシングと、外郭の開口と連通する開口部を有するベルマウス状のオリフィスを備え、外郭とケーシングおよびオリフィスで囲まれる共鳴空間に有孔部材を設け、共鳴空間内にあなあき板吸音構造を持つことを特徴とする遠心送風機としたものであり、共鳴空間とあなあき板吸音構造とで異なる周波数帯域の騒音の低減ができるため、消音できる共鳴周波数帯の選択性が広がり、より広い周波数帯域の騒音を低減できるという効果を有する。
【００３７】
また、平板状の有孔部材により共鳴空間を、ケーシング側に共鳴空間とオリフィス側にあなあき板吸音構造とに仕切ることを特徴とする遠心送風機としたものであり、吸込み口から放出される騒音を共鳴空間とあなあき板吸音構造とで同時に異なる周波数帯域に対して共鳴消音ができるため、消音できる共鳴周波数帯の選択性が広がり、より広い周波数帯域の騒音を低減できるという効果を有する。
【００３８】
また、環状の有孔部材により共鳴空間を、回転軸中心側に共鳴空間と回転軸外周側にあなあき板吸音構造とに仕切ることを特徴とする遠心送風機としたものであり、吸込み口から放出される騒音を共鳴空間とあなあき板吸音構造とで同時に異なる周波数帯域に対して共鳴消音できるため、共鳴周波数帯の選択性が広がり、より広い周波数帯域の騒音を低減でき、有孔部材がオリフィスの支持部材を兼ねるという効果を有する。
【００３９】
また、有孔部材が複数の丸孔を備えることを特徴とする遠心送風機としたものであり、あなあき板吸音構造の吸音特性に与える騒音入射角度の影響が最も少ない丸孔および外郭とオリフィスと有孔部材により囲まれる背後空気層により効率よく共鳴消音ができるという効果を有する。
【００４０】
また、有孔部材が複数のスリットを備えることを特徴とする遠心送風機としたものであり、有孔部材の製造工程が簡略化され、有孔部材の製造が簡易になるという効果を有する。
【００４１】
また、外郭とオリフィスおよび有孔部材により囲まれる背後空気層の厚さ、有孔部材の孔の大きさおよび孔の間隔が一定であることを特徴とする遠心送風機としたものであり、あなあき板吸音構造の吸音特性が有孔部材全体で均一になり、特定の周波数帯域の騒音を特に低減できるという効果を有する。
【００４２】
また、背後空気層の厚さ、有孔部材の孔の大きさおよび孔の間隔のうち少なくとも一つが不均一であることを特徴とする遠心送風機であり、あなあき板吸音構造の吸音特性が有孔部材上の位置により不均一となるため消音できる共鳴周波数帯の選択性を広げ、より広い周波数帯域の騒音を低減できるという効果を有する。
【００４３】
また、有孔部材の孔の大きさが騒音の入射面から透過面へ段階的に大径になること特徴とする遠心送風機であり、騒音を効率的に背後空気層へと透過させ、また径の大小による吸音特性の違いを同時に与えることで広い周波数帯域において消音効果をもつという効果を有する。
【００４４】
また、有孔部材の各孔に、孔形状に対応して背後空気層側へと突き出す筒を設けることを特徴とする遠心送風機であり、筒により有孔板の厚さを大きくせずに、ヘルムホルツ共鳴ののど部に相当する部分を長くできるため、共鳴周波数帯域が低くなり、特に低い周波数帯域の騒音を低減できるという効果を有する。
【００４５】
また、背後空気層内が複数に仕切られていることを特徴とする遠心送風機であり、騒音の入射角度によらず効率よく騒音を低減でき、また仕切り部材が有孔部材の支持部材を兼ねるため、有孔部材の支持が容易となるという効果を有する。
【００４６】
また、背後空気層の厚みを保持する保持部材をもつことを特徴とする遠心送風機であり、背後空気層の厚みの保持が容易となる効果を有する。
【００４７】
また、背後空気層内に吸音材料を付加することを特徴とする遠心送風機であり、吸音材料の吸音特性が付加され更に広い周波数帯域の騒音を低減することができるという効果を有する。
【００４８】
また、オリフィスと有孔部材に開閉部分をもつことを特徴とする遠心送風機であり、開閉部分より電装部の取り外しができるため、設置後のメンテナンスが容易になるという作用を有する。
【００４９】
また、複数の有孔部材を、間隔をあけて備えることを特徴とする遠心送風機であり、吸音特性の異なるあなあき板吸音構造の二重構造になるため、共鳴消音できる共鳴周波数帯域の選択性を広げ、より広い周波数帯域の騒音を低減できる遠心送風機が得られる。
【００５０】
以下、本発明の実施の形態について図面を参照しながら説明する。
【００５１】
（実施の形態１）
図１に示すように、浴室やトイレなどの空間を換気するために天井に取り付けられる天井埋込型換気扇として使用される遠心送風機１は、内寸が２６５ｍｍ角、高さ１９５ｍｍで下面に本体開口２を備えた外郭３内に、回転軸４を中心に回動可能に直径１８０ｍｍの多翼型の羽根車５を連結した電動機６と、羽根車５の周囲を囲み、下面にベルマウス状の吸込み口７と側壁８に吐出口９を有するケーシング１０を備えている。ケーシング１０の吐出口９は外郭３の一側面に設けられた吐出開口１１を介して、吐出アダプタ１２と連通している。ケーシング１０と外郭３との間の一部には、電動機６と外部電源とを電気的に接続するための接続コネクタや端子などの電気部品を収納する電装部１３が配置されている。外郭３の下面の外周にはフランジ部１４があり、フランジ部１４に備えた穴１６を通して、ねじ等で天井材１５に外郭３が固定され、天井に配され屋外に連通するダクト１７が、吐出アダプタ１２を介して吐出口９に接合されている。
【００５２】
また、ケーシング１０の吸込み口７と同心円で吸込み口７と同等以下の内径でベルマウス状の開口部１８を備えるオリフィス１９が、ケーシング１０の吸込み口７から所定の共鳴空間の間隙ｈｉを隔てて外郭３の本体開口２を塞ぐように配置されており、ケーシング１０とオリフィス１９との間に共鳴空間２０を形成している。なおオリフィス１９の端部２１はケーシング１０の下面と所定の間隙を隔てた位置となっている。
【００５３】
また、図２に示すような板厚ｔが１ｍｍで孔の径ｄが１．５ｍｍ、孔間隔Ｌが７ｍｍでポリプロピレン製（ＡＢＳやポリカーボネイト、ステンレスやアルミ等も使用可）の有孔部材２２がオリフィス１９と平行して外郭３と開口部１８の間を塞ぐように配置されており、有孔部材２２の位置はオリフィス１９から背後空気層の厚さｈａ（１０ｍｍ）だけ隔てた位置となっており、外郭３とオリフィス１９と有孔部材２２の間に背後空気層２３を形成している。
【００５４】
上記構成において、電動機６により羽根車５が回転すると、吸込空気は本体開口２からオリフィス１９の開口部１８を通り、ケーシング１０の吸込み口７より羽根車５に入り、羽根車５により昇圧され、ケーシング１０の内部を通り、吐出アダプタ１２よりダクト１７に吐出され、屋外に排出される。
【００５５】
また同時に、羽根車５で昇圧されるときに発生する回転騒音や、ケーシング１０の内部を通るときに発生する渦による乱流騒音や、ケーシング１０内で共鳴により増幅された騒音の音波が、吸込み口７から下方に放射されるが、ケーシング１０の吸込み口７から放射された騒音の音波の一部はオリフィス１９の端部２１とケーシング１０との間で構成される入口部２４から共鳴空間２０に入射する。ケーシング１０の吸込み口７と共鳴空間２０は入口部２４を介して連通している。このとき、オリフィス１９の開口部１８はケーシング１０の吸込み口７と同心で、オリフィス１９の開口部１８の内径はケーシング１０の吸込み口の内径より同等以下であるため、ケーシング１０の吸込み口７から放射された騒音の音波の一部はオリフィス１９の端部２１とケーシング１０との間で構成される入口部２４から共鳴空間２０へ入射しやすい構成となっている。
【００５６】
入口部２４から共鳴空間２０に入射した騒音の音波のうち、一部は共鳴空間２０内で気柱共鳴などにより共鳴消音される。同時に有孔部材２２と外郭３とオリフィス１９および背後空気層２３とで形成されるあなあき板吸音構造の容積や形状によって特定される周波数の騒音の音波の一部が共鳴消音されるため、広い周波数帯域の騒音を低減することができる。
【００５７】
なお、図３に示すように、あなあき板吸音構造はヘルムホルツ共鳴構造の一つであり、孔の部分がｔ×ｄ＾２の体積を持つ振動系の質量の作用をする一つののど部２５、背後空気層２３の１区画がＬ＾２×ｈａの体積を持つ振動系のバネの作用をする容積部２６に相当し、ヘルムホルツ共鳴器の一単位となって並列構造が形成されたものであり、その振動系の共振周波数に相当する音を選択的に消音するものである。
【００５８】
なお、孔の径ｄがおおよそ１ｍｍ未満の微細孔の場合は、孔の側壁近傍の粘性境界層の振る舞いが支配的となり、その働きにより消音される。
【００５９】
図４に有孔部材２２がある場合と、有孔部材２２がない場合の遠心送風機１の騒音の周波数特性のグラフを示す。一部の周波数の音圧レベルが低減していることがわかる。本発明の実施の形態１の構成では、オーバーオールで０．５ｄＢの騒音低減効果が確認できた。
【００６０】
なお、図５に示すように、オリフィス１９に支持部材２５を備えることで、有孔部材２２の板厚を小さくしても有孔部材２２の支持および背後空気層の厚さｈａを保持することが容易になる。
【００６１】
（実施の形態２）
実施の形態１と同一部分は同一番号を附し、詳細な説明は省略する。本発明の実施の形態２は、図６に示すように、有孔部材２２の背後空気層２３側に吸音材料２８を付加する構成とする。
【００６２】
上記の構成により、背後空気層２３内の吸音材料２８に騒音が入射すると吸音材料の働きにより、さらに騒音を低減できるので、この吸音材料２８の特性と共鳴空間２０による共鳴消音およびあなあき板吸音構造による共鳴消音がそれぞれ異なる周波数帯域に作用することで、更に広い周波数帯域の騒音を低減できる。
【００６３】
（実施の形態３）
実施の形態１または２と同一部分は同一番号を附し、詳細な説明は省略する。本発明の実施の形態３は、図７に示すように、有孔部材２２を環状とし、オリフィス１９に対して垂直となるように配置している。
【００６４】
上記の構成により、回転軸中心側の共鳴空間２０と回転軸外周側の外郭３とケーシング１０とオリフィス１９と有孔板２２と背後空気層２３で形成されるあなあき板吸音構造とで同時に共鳴消音し、またオリフィス１９の支持部材を兼ねることができ、オリフィスと一体部材とすることで、部材の製造や組み立てやメンテナンスが容易になる。
【００６５】
（実施の形態４）
実施の形態１乃至３と同一部分は同一番号を附し、詳細な説明は省略する。本発明の実施の形態４は、図８に示すように、有孔部材２２の孔の径ｄが異なる構成とする。
【００６６】
上記の構成により、のど部２５の体積ｔ×ｄ＾２が不均一となるため、振動系の共振周波数が不均一となり、あなあき板吸音構造の吸音特性が有孔部材２２上の位置によって不均一とすることができるので、消音できる共鳴周波数帯の選択性を広げ、より広い周波数帯域の騒音を低減できる。
【００６７】
なお、図９〜１１に示すように、有孔部材２２の板厚ｔ、孔の径ｄ、孔間隔Ｌ、背後空気層の厚さｈａのうち少なくとも一つを不均一にすることで、のど部２５の体積ｔ×ｄ＾２、容積部の体積Ｌ＾２×ｈａのうち少なくとも一方を不均一にすることができるため、振動系の共振周波数が不均一となり、同様の効果が得られる。
【００６８】
（実施の形態５）
実施の形態１乃至４と同一部分は同一番号を附し、詳細な説明は省略する。本発明の実施の形態５は、図１２に示すように、孔の断面形状を騒音の入射側から透過側へと段階的に大径になる構成とする。
【００６９】
上記の構成により、騒音を効率的に背後空気層へと透過させ、また径の大小による吸音特性の違いを同時に与え、更に広い周波数帯域において騒音を低減できる。
【００７０】
（実施の形態６）
実施の形態１乃至５と同一部分は同一番号を附し、詳細な説明は省略する。本発明の実施の形態６は、図１３に示すように、有孔部材２２を二重に配置する構成とする。
【００７１】
上記の構成により、異なる周波数帯域を共鳴消音できるあなあき板吸音構造の二層構造となるため、共鳴周波数帯の選択性を広げ、更に広い周波数帯域の騒音を低減できる。
【００７２】
（実施の形態７）
実施の形態１乃至６と同一部分は同一番号を附し、詳細な説明は省略する。本発明の実施の形態７は、図１４に示すように、有孔部材２２の孔形状に対応して背後空気層２３へと突き出す筒２９を備えている。
【００７３】
上記の構成により、筒により共鳴空間２０の間隙および背後空気層の厚さｈａを保ったまま有孔部材２２の板厚ｔを大きくせずにヘルムホルツ共鳴ののど部２５に相当する部分を長くできるので、振動する空気の体積が大きくなることで、共振周波数を小さくすることができ、あなあき板吸音構造の共鳴周波数帯域が低くなり、特に低い周波数帯域の騒音を低減できる。
【００７４】
（実施の形態８）
実施の形態１乃至７と同一部分は同一番号を附し、詳細な説明は省略する。本発明の実施の形態８は、図１５に示すように、背後空気層２３内を有孔板２２の各孔に対応させて複数に仕切る構造とする。
【００７５】
上記の構成により、入射騒音の入射角度によらず容積部の体積Ｌ＾２×ｈａを安定して保つことができるため、のど部２５および容積部２６からなるヘルムホルツ共鳴器の振動系が効率よく働くため効率よく騒音を低減でき、また有孔部材２２の支持を容易にできる。
【００７６】
（実施の形態９）
実施の形態１乃至８と同一部分は同一番号を附し、詳細な説明は省略する。本発明の実施の形態９は、図１６に示すように、有孔部材２２の孔をスリットとしている。
【００７７】
上記の構成により、加工する孔の数を減らし、金型も簡易に出来るので、有孔部材の製造工程を簡素化することで有孔部材２２の製造を簡易にできる。
【００７８】
（実施の形態１０）
実施の形態１乃至９と同一部分は同一番号を附し、詳細な説明は省略する。本発明の実施の形態１０は、図１７に示すように、オリフィス１９と有孔部材２２にそれぞれ上下に開閉する開閉部分３０を備える構成とする。
【００７９】
上記の構成により、オリフィス１９および有孔板２２がそれぞれ互い違いに下に開き、オリフィス遠心送風機１の設置後でも開閉部分３０から電装部１３の取り出しが可能となることで設置後のメンテナンスが容易になる。
【産業上の利用可能性】
【００８０】
本発明によれば、共鳴消音できる共鳴周波数帯域の選択性を広げ、より広い周波数帯域の騒音を低減できる遠心送風機を提供できる。
【図面の簡単な説明】
【００８１】
【図１】本発明の実施の形態１の遠心送風機を示す図（（ａ）側断面図、（ｂ）下面部分断面図）
【図２】本発明の実施の形態１の有孔部材を示す図
【図３】本発明の実施の形態１のヘルムホルツ共鳴器ユニットを示す側断面図
【図４】本発明の実施の形態１の騒音低減効果を表す周波数特性のグラフ
【図５】本発明の実施の形態１の遠心送風機を示す図（（ａ）側断面図、（ｂ）下面部）
【図６】本発明の実施の形態２の遠心送風機を示す側断面図
【図７】本発明の実施の形態３の遠心送風機を示す図（（ａ）側断面図、（ｂ）下面部）
【図８】本発明の実施の形態４の有孔部材を示す図
【図９】本発明の実施の形態４の有孔部材を示す図
【図１０】本発明の実施の形態４の有孔部材の配置を示す側断面図
【図１１】本発明の実施の形態４の有孔部材の配置を示す側断面図
【図１２】本発明の実施の形態５の有孔部材を示す側断面図
【図１３】本発明の実施の形態６の有孔部材の配置を示す側断面図（（ａ）側断面図、（ｂ）部分詳細図）
【図１４】本発明の実施の形態７の有孔部材を示す側断面図
【図１５】本発明の実施の形態８の有孔部材の配置を示す側断面図（（ａ）側断面図、（ｂ）部分詳細図）
【図１６】本発明の実施の形態９の有孔部材を示す図
【図１７】本発明の実施の形態１０の開閉部を示す側断面図
【図１８】従来の遠心送風機を示す側断面図
【符号の説明】
【００８２】
１    遠心送風機
２    本体開口
３    外郭
４    回転軸
５    羽根車
６    電動機
７    吸込み口
８    側壁
９    吐出口
１０  ケーシング
１１  吐出開口
１２  吐出アダプタ
１３  電装部
１４  フランジ部
１５  天井材
１６  穴
１７  ダクト
１８  開口部
１９  オリフィス
ｈｉ  共鳴空間の間隙
２０  共鳴空間
２１  端部
ｉ    間隙寸法
２２  有孔部材
ｈａ  背後空気層の厚さ
２３  背後空気層
２４  入口部
２５  のど部
２６  容積部
２７  保持部材
２８  吸音材料
ｔ    板厚
ｄ    孔の径
Ｌ    孔間隔
２９  筒
３０  開閉部分
【図１】
2009197623.tif 000003
【図２】
2009197623.tif 000004
【図３】
2009197623.tif 000005
【図４】
2009197623.tif 000006
【図５】
2009197623.tif 000007
【図６】
2009197623.tif 000008
【図７】
2009197623.tif 000009
【図８】
2009197623.tif 000010
【図９】
2009197623.tif 000011
【図１０】
2009197623.tif 000012
【図１１】
2009197623.tif 000013
【図１２】
2009197623.tif 000014
【図１３】
2009197623.tif 000015
【図１４】
2009197623.tif 000016
【図１５】
2009197623.tif 000017
【図１６】
2009197623.tif 000018
【図１７】
2009197623.tif 000019
【図１８】
2009197623.tif 000020